(57)【要約】【課題】表示に関わるアクセス権限の不整合の発生を防止できる設定管理装置、繊維機械、糸巻取機、及び紡績機を提供する。【解決手段】設定管理装置５は、表示部１０における表示画面の表示を制御する表示制御部１２を備え、表示制御部１２は、表示画面のアクセス権限を、表示画面毎で且つ表示画面にアクセスするアクセス者のアクセスレベル毎に設定する第１設定領域Ａ１を表示部１０に表示させる。【選択図】図２
2015086057.tif 000002
【特許請求の範囲】
【請求項１】
複数の表示画面を表示する表示部を備えた繊維機械の設定管理装置であって、
前記表示部における前記表示画面の表示を制御する表示制御部を備え、
前記表示制御部は、前記表示画面のアクセス権限を、前記表示画面毎で且つ前記表示画面にアクセスするアクセス者のアクセスレベル毎に設定する第１設定領域を前記表示部に表示させることを特徴とする、設定管理装置。
【請求項２】
前記表示制御部は、前記繊維機械において設定可能な設定項目のアクセス権限を、前記設定項目毎で且つ前記アクセスレベル毎に設定する第２設定領域を前記表示部に表示させることを特徴とする、請求項１記載の設定管理装置。
【請求項３】
前記表示画面毎の前記アクセス権限及び前記設定項目毎の前記アクセス権限のそれぞれを、前記アクセスレベル毎に記憶する記憶部と、
前記第１設定領域及び／又は前記第２設定領域において前記記憶部に記憶されている一の前記アクセス権限の設定が変更された場合に、当該変更に連動して前記記憶部に記憶されている他の前記アクセス権限の設定を変更する設定変更部と、を備えたことを特徴とする、請求項２記載の設定管理装置。
【請求項４】
前記設定変更部は、前記記憶部に記憶されている前記表示画面毎の前記アクセス権限と、前記記憶部に記憶されている前記設定項目毎の前記アクセス権限とを連動させて設定を変更することを特徴とする、請求項３記載の設定管理装置。
【請求項５】
前記設定変更部は、前記記憶部に記憶されている前記表示画面毎のアクセス権限を、各前記アクセスレベルにおいて連動させて設定を変更することを特徴とする、請求項３又は４記載の設定管理装置。
【請求項６】
前記設定変更部は、前記第１設定領域及び／又は前記第２設定領域において設定された前記アクセス権限の前記アクセスレベル及び設定内容に応じた複数の前記アクセス権限の連動パターンを有していることを特徴とする、請求項３〜５のいずれか一項記載の設定管理装置。
【請求項７】
前記表示画面は階層化されていると共に、階層化された画面項目を有し、
前記設定変更部は、前記記憶部に記憶されている所定の表示画面の前記画面項目の前記アクセス権限が変更された場合には、前記所定の画面項目よりも階層が下位の画面項目の前記アクセス権限の設定の変更を行わないことを特徴とする、請求項３〜６のいずれか一項記載の設定管理装置。
【請求項８】
前記設定変更部は、前記記憶部に記憶されている所定の表示画面の前記アクセス権限が変更された場合には、前記所定の表示画面に表示される前記設定項目の前記アクセス権限の設定の変更を行わないことを特徴とする、請求項３〜７のいずれか一項記載の設定管理装置。
【請求項９】
前記第１設定領域では、前記表示画面毎の前記アクセス権限として、表示及び非表示の少なくとも２つの設定が可能とされていることを特徴とする、請求項３〜８のいずれか一項記載の設定管理装置。
【請求項１０】
前記第２設定領域では、前記設定項目毎の前記アクセス権限として、設定変更可、読み取り専用、及び非表示の少なくとも３つの設定が可能とされていることを特徴とする、請求項９記載の設定管理装置。
【請求項１１】
前記設定変更部は、前記記憶部に記憶されている所定の設定項目の前記アクセス権限が前記設定変更可に変更された場合には、前記所定の設定項目のアクセスレベルよりも上位のアクセスレベルの前記アクセス権限を前記設定変更可に設定することを特徴とする、請求項１０記載の設定管理装置。
【請求項１２】
前記設定変更部は、前記記憶部に記憶されている所定の設定項目の前記アクセス権限が前記読み取り専用に変更された場合には、前記所定の設定項目のアクセスレベルよりも上位のアクセスレベルの前記アクセス権限を前記読み取り専用以上のアクセス権限に設定すると共に、前記所定の設定項目のアクセスレベルよりも下位のアクセスレベルの前記アクセス権限を前記読み取り専用以下のアクセス権限に設定することを特徴とする、請求項１０又は１１記載の設定管理装置。
【請求項１３】
前記設定変更部は、前記記憶部に記憶されている所定の設定項目の前記アクセス権限が前記非表示に変更された場合には、前記所定の設定項目のアクセスレベルよりも下位のアクセスレベルの前記アクセス権限を前記非表示に設定することを特徴とする、請求項１０〜１２のいずれか一項記載の設定管理装置。
【請求項１４】
前記設定変更部は、前記記憶部に記憶されている所定の設定項目が前記読み取り専用又は前記設定変更可に変更された場合に、前記所定の設定項目を表示する表示画面の前記アクセス権限が前記非表示に設定されている場合には、当該表示画面の前記アクセス権限を前記表示に設定することを特徴とする請求項１０〜１３のいずれか一項記載の設定管理装置。
【請求項１５】
前記設定変更部は、前記記憶部に記憶されている所定の設定項目が前記非表示に変更された場合には、特定のケースを除き、前記所定の設定項目を表示する表示画面の前記アクセス権限を前記非表示に設定することを特徴とする請求項１０〜１４のいずれか一項記載の設定管理装置。
【請求項１６】
前記表示画面は階層化されていると共に、階層化された画面項目を有し、
前記設定変更部は、前記記憶部に記憶されている所定の表示画面の画面項目の前記アクセス権限が前記非表示から前記表示に変更された場合には、前記所定の画面項目よりも階層が上位の前記画面項目の前記アクセス権限、及び前記所定の画面項目のアクセスレベルよりも上位のアクセスレベルの前記アクセス権限を前記表示に変更することを特徴とする、請求項９〜１５のいずれか一項記載の設定管理装置。
【請求項１７】
前記表示画面は階層化されていると共に、階層化された画面項目を有し、
前記設定変更部は、前記記憶部に記憶されている所定の表示画面の画面項目の前記アクセス権限が前記表示から前記非表示に変更された場合には、特定のケースを除き、前記所定の画面項目よりも階層が上位の画面項目の前記アクセス権限、及び前記所定の画面項目のアクセスレベルよりも下位のアクセスレベルの前記アクセス権限を前記非表示に変更することを特徴とする、請求項９〜１６のいずれか一項記載の設定管理装置。
【請求項１８】
前記記憶部に記憶されている前記アクセス権限を含む設定情報を外部記憶媒体に出力、又は前記外部記憶媒体から前記設定情報を入力する入出力部を備えていることを特徴とする、請求項３〜１７のいずれか一項記載の設定管理装置。
【請求項１９】
前記表示制御部は、複数の前記表示画面の１つとしてアクセス権限設定画面を前記表示部に表示させると共に、前記アクセス権限設定画面には前記第１設定領域及び前記第２設定領域を並んで表示させることを特徴とする、請求項２〜１８のいずれか一項記載の設定管理装置。
【請求項２０】
前記表示制御部は、前記表示画面として、少なくとも、前記繊維機械の各種設定を行うための設定画面、及び前記繊維機械の状態を監視する監視画面を前記表示部に表示させることを特徴とする、請求項１〜１９のいずれか一項記載の設定管理装置。
【請求項２１】
請求項１〜２０のいずれか一項に記載の設定管理装置をそれぞれに有する複数の機台を備え、
前記設定管理装置のそれぞれは、互いに通信可能とされていることを特徴とする、繊維機械。
【請求項２２】
請求項１〜２０のいずれか一項に記載の設定管理装置を有する統括制御装置と、
前記統括制御装置に制御される複数の機台と、備えることを特徴とする、繊維機械。
【請求項２３】
請求項１〜２０のいずれか一項に記載の設定管理装置を備えたことを特徴とする、糸巻取機。
【請求項２４】
請求項１〜２０のいずれか一項に記載の設定管理装置を備えたことを特徴とする、紡績機。
【発明の詳細な説明】
【技術分野】
【０００１】
本発明は、設定管理装置、繊維機械、糸巻取機、及び紡績機に関する。
【背景技術】
【０００２】
繊維機械には、動作を設定すると共に稼働状態を確認するための設定管理装置が設けられている。従来の設定管理装置としては、例えば特許文献１に記載されているものが知られている。特許文献１に記載の設定管理装置では、製織に関する情報の情報項目を指定すると共に製織分野における職種を選択的に指定することにより、指定された情報項目について、対応の職種以外による織機データの入力を禁止している。
【先行技術文献】
【特許文献】
【０００３】
【特許文献１】特開２００４−３３２１７５号公報
【発明の概要】
【発明が解決しようとする課題】
【０００４】
ところで、繊維機械の設定管理装置としては、アクセスレベル（職種）毎に、ロット及び機台等の各設定項目のアクセス権限を変更できるアクセスプロパティ機能を有しているものがある。この設定管理装置では、アクセスプロパティ機能により、例えばオペレーターのアクセスレベルにおいて、所定の設定項目のアクセス権限を「非表示」から「設定変更可」に変更することができる。しかしながら、従来の設定管理装置では、表示画面のアクセス権限が初期設定により固定とされているため、上記設定項目が表示される画面についてのアクセス権限がオペレーターに与えられていない場合（非表示の設定の場合）には、オペレーターに対して設定項目のアクセス権限が変更された画面自体が表示されない。したがって、従来の設定管理装置では、設定項目のアクセス権限を変更したにもかかわらず、その設定項目が表示される画面を閲覧できずに、当該設定項目にアクセスすることができないといった不整合が生じるおそれがあった。
【０００５】
本発明は、表示に関わるアクセス権限の不整合の発生を防止できる設定管理装置、繊維機械、糸巻取機、及び紡績機を提供することを目的とする。
【課題を解決するための手段】
【０００６】
本発明に係る設定管理装置は、複数の表示画面を表示する表示部を備えた繊維機械の設定管理装置であって、表示部における表示画面の表示を制御する表示制御部を備え、表示制御部は、表示画面のアクセス権限を、表示画面毎で且つ表示画面にアクセスするアクセス者のアクセスレベル毎に設定する第１設定領域を表示部に表示させることを特徴とする。
【０００７】
この設定管理装置では、表示画面のアクセス権限を、表示画面毎で且つ表示画面にアクセスするアクセス者のアクセスレベル毎に設定する第１設定領域を表示部に表示させる。これにより、設定管理装置では、第１設定領域において表示画面へのアクセス権限を設定できる。そのため、設定管理装置では、アクセスプロパティ機能によって任意のアクセスレベルにおいて設定項目を変更した場合には、そのアクセスレベルに対して、表示画面にアクセスできるようにアクセス権限を設定できる。したがって、設定管理装置では、設定項目を変更したにもかかわらず、その設定項目が表示される表示画面を閲覧することができないといった表示に関わるアクセス権限の不整合の発生を防止できる。
【０００８】
一実施形態においては、表示制御部は、繊維機械において設定可能な設定項目のアクセス権限を、設定項目毎で且つアクセスレベル毎に設定する第２設定領域を表示部に表示させてもよい。これにより、設定管理装置では、第２設定領域において設定項目毎にアクセス権限を設定できる。
【０００９】
一実施形態においては、表示画面毎のアクセス権限及び設定項目毎のアクセス権限のそれぞれを、アクセスレベル毎に記憶する記憶部と、第１設定領域及び／又は第２設定領域において記憶部に記憶されている一のアクセス権限の設定が変更された場合に、当該変更に連動して記憶部に記憶されている他のアクセス権限の設定を変更する設定変更部と、を備えていてもよい。これにより、設定管理装置では、一のアクセス権限の設定が変更された場合には、この変更に連動して記憶部に記憶されている他のアクセス権限の設定を変更するため、アクセス権限の整合を図ることができる。
【００１０】
一実施形態においては、設定変更部は、記憶部に記憶されている表示画面毎のアクセス権限と、記憶部に記憶されている設定項目毎のアクセス権限とを連動させて設定を変更してもよい。これにより、設定管理装置では、表示画面とその表示画面に表示される設定項目とのアクセス権限の整合を図ることができる。
【００１１】
一実施形態においては、設定変更部は、記憶部に記憶されている表示画面毎のアクセス権限を、各アクセスレベルにおいて連動させて設定を変更してもよい。これにより、設定管理装置では、表示画面のアクセス権限について、各アクセスレベルにおいて整合を図ることができる。
【００１２】
一実施形態においては、設定変更部は、第１設定領域及び／又は第２設定領域において設定されたアクセス権限のアクセスレベル及び設定内容に応じた複数のアクセス権限の連動パターンを有していてもよい。これにより、設定管理装置では、画一的なアクセス権限の設定のみならず、多様にアクセス権限を連動させて設定することができる。
【００１３】
一実施形態においては、表示画面は階層化されていると共に、階層化された画面項目を有し、設定変更部は、記憶部に記憶されている所定の表示画面の画面項目のアクセス権限が変更された場合には、所定の画面項目よりも階層が下位の画面項目のアクセス権限の設定の変更を行わなくてもよい。例えば、上位の階層の画面項目のアクセス権限が「非表示」に設定されている場合には、その画面項目よりも下位の階層の画面項目のアクセス権限についても必然的に「非表示」となる。したがって、設定管理装置では、上位から下位の階層への変更を連動して行わなくても、「非表示」にすべき画面が表示されるといった不整合を防止できる。また、下位の階層の設定を変更しないため、下位の階層の画面項目のアクセス権限について、その後設定を戻すといった処理を省略できる。
【００１４】
一実施形態においては、設定変更部は、記憶部に記憶されている所定の表示画面のアクセス権限が変更された場合には、所定の表示画面に表示される設定項目のアクセス権限の設定の変更を行わなくてもよい。設定項目は、表示画面に表示される。そのため、表示画面のアクセス権限が例えば「非表示」に設定された場合には、表示画面が表示されないため、設定項目も表示されることはない。したがって、設定管理装置では、表示画面に表示される設定項目のアクセス権限の設定の変更を行わなくても、表示されるべきではない設定項目が表示されるといった不整合を防止できる。また、設定項目のアクセス権限の設定を変更しないため、設定項目について、その後設定を戻すといった処理を省略できる。
【００１５】
一実施形態においては、第１設定領域では、表示画面毎のアクセス権限として、表示及び非表示の少なくとも２つの設定が可能とされていてもよい。これにより、設定管理装置では、アクセス権限が予め設定されているため、表示画面毎のアクセス権限の設定を容易に行うことができる。
【００１６】
一実施形態においては、第２設定領域では、設定項目毎のアクセス権限として、設定変更可、読み取り専用、及び非表示の少なくとも３つの設定が可能とされていてもよい。これにより、設定管理装置では、アクセス権限が予め設定されているため、設定項目毎のアクセス権限の設定を容易に行うことができる。
【００１７】
一実施形態においては、設定変更部は、記憶部に記憶されている所定の設定項目のアクセス権限が設定変更可に変更された場合には、所定の設定項目のアクセスレベルよりも上位のアクセスレベルのアクセス権限を設定変更可に設定してもよい。
【００１８】
一実施形態においては、設定変更部は、記憶部に記憶されている所定の設定項目のアクセス権限が読み取り専用に変更された場合には、所定の設定項目のアクセスレベルよりも上位のアクセスレベルのアクセス権限を読み取り専用以上のアクセス権限に設定すると共に、所定の設定項目のアクセスレベルよりも下位のアクセスレベルのアクセス権限を読み取り専用以下のアクセス権限に設定してもよい。
【００１９】
一実施形態においては、設定変更部は、記憶部に記憶されている所定の設定項目のアクセス権限が非表示に変更された場合には、所定の設定項目のアクセスレベルよりも下位のアクセスレベルのアクセス権限を非表示に設定してもよい。
【００２０】
一実施形態においては、設定変更部は、記憶部に記憶されている所定の設定項目が読み取り専用又は設定変更可に変更された場合に、所定の設定項目を表示する表示画面のアクセス権限が非表示に設定されている場合には、当該表示画面のアクセス権限を表示に設定してもよい。
【００２１】
一実施形態においては、設定変更部は、記憶部に記憶されている所定の設定項目が非表示に変更された場合には、特定のケースを除き、所定の設定項目を表示する表示画面のアクセス権限を非表示に設定してもよい。
【００２２】
一実施形態においては、表示画面は階層化されていると共に、階層化された画面項目を有し、設定変更部は、記憶部に記憶されている所定の表示画面の画面項目のアクセス権限が非表示から表示に変更された場合には、所定の画面項目よりも階層が上位の画面項目のアクセス権限、及び所定の画面項目のアクセスレベルよりも上位のアクセスレベルのアクセス権限を表示に変更してもよい。
【００２３】
一実施形態においては、表示画面は階層化されていると共に、階層化された画面項目を有し、設定変更部は、記憶部に記憶されている所定の表示画面の画面項目のアクセス権限が表示から非表示に変更された場合には、特定のケースを除き、所定の画面項目よりも階層が上位の画面項目のアクセス権限、及び所定の画面項目のアクセスレベルよりも下位のアクセスレベルのアクセス権限を非表示に変更してもよい。
【００２４】
一実施形態においては、記憶部に記憶されているアクセス権限を含む設定情報を外部記憶媒体に出力、又は外部記憶媒体から設定情報を入力する入出力部を備えていてもよい。これにより、設定管理装置では、他の設定管理装置との間で外部記憶媒体を介して設定情報を共有することができる。したがって、複数の設定管理装置が設けられている場合では、１台の設定管理装置において設定を行うことにより、他の設定管理装置の設定も行うことができ、効率化を図ることができる。
【００２５】
一実施形態においては、表示制御部は、複数の表示画面の１つとしてアクセス権限設定画面を表示部に表示させると共に、アクセス権限設定画面には第１設定領域及び第２設定領域を並んで表示させてもよい。これにより、アクセス者は、アクセス権限設定画面において表示画面及び／又は設定項目のアクセス権限の設定を行うことができると共に、設定内容を容易に確認することができる。
【００２６】
一実施形態においては、表示制御部は、表示画面として、少なくとも、繊維機械の各種設定を行うための設定画面、及び繊維機械の状態を監視する監視画面を表示部に表示させてもよい。これにより、特に設定画面及び監視画面について、表示に関わるアクセス権限の不整合を防止できる。
【００２７】
本発明に係る繊維機械は、上記のいずれかの設定管理装置をそれぞれに有する複数の機台を備え、設定管理装置のそれぞれは、互いに通信可能とされていていることを特徴とする。この繊維機械では、設定項目のアクセス権限を変更したにもかかわらず、その設定項目が表示される表示画面を閲覧することができないといった不整合の発生を防止できる。また、繊維機械では、設定管理装置のそれぞれが互いに通信可能に設けられているため、１台の設定管理装置において設定を行うことにより、他の設定管理装置の設定も行うことができ、効率化を図ることができる。
【００２８】
本発明に係る繊維機械は、上記いずれかの設定管理装置を有する統括制御装置と、統括制御装置に制御される複数の機台と、備えることを特徴とする。この繊維機械では、設定項目のアクセス権限を変更したにもかかわらず、その設定項目が表示される表示画面を閲覧することができないといった不整合の発生を防止できる。また、統括制御装置において、アクセス権限の設定を行うことができる。
【００２９】
本発明に係る糸巻取機は、上記のいずれかの設定管理装置を備えていることを特徴とする。この糸巻取機では、設定項目のアクセス権限を変更したにもかかわらず、その設定項目が表示される表示画面を閲覧することができないといった不整合の発生を防止できる。
【００３０】
本発明に係る紡績機は、上記のいずれかの設定管理装置を備えていることを特徴とする。この紡績機では、設定項目のアクセス権限を変更したにもかかわらず、その設定項目が表示される表示画面を閲覧することができないといった不整合の発生を防止できる。
【発明の効果】
【００３１】
本発明によれば、表示に関わるアクセス権限の不整合の発生を防止できる。
【図面の簡単な説明】
【００３２】
【図１】一実施形態に係る設定管理装置を備える繊維機械を示す図である。
【図２】設定管理装置の構成を示す図である。
【図３】タッチパネルに表示されたアクセス権限設定画面の一例を示す図である。
【図４】メニューの階層構造の構成の一例を示す図である。
【図５】設定ボタンが押下されたときのアクセス権限設定画面の一例を示す図である。
【図６】設定ボタンが押下されたときのアクセス権限設定画面の一例を示す図である。
【図７】第１設定領域及び第２設定領域を抜粋して示す図である。
【図８】タッチパネルに表示された表示画面の一例を示す図である。
【図９】設定変更部の制御の一例を説明する図である。
【図１０】設定変更部の制御の一例を説明する図である。
【図１１】設定変更部の制御の一例を説明する図である。
【図１２】設定変更部の制御の一例を説明する図である。
【図１３】設定変更部の制御の一例を説明する図である。
【図１４】設定変更部の制御の一例を説明する図である。
【図１５】設定変更部の制御の一例を説明する図である。
【図１６】設定変更部の制御の一例を説明する図である。
【図１７】設定変更部の制御の一例を説明する図である。
【図１８】設定変更部の制御の一例を説明する図である。
【図１９】設定変更部の制御の一例を説明する図である。
【図２０】設定変更部の制御の一例を説明する図である。
【図２１】設定変更部の制御の一例を説明する図である。
【図２２】設定変更部の制御の一例を説明する図である。
【図２３】設定変更部の制御の一例を説明する図である。
【図２４】設定変更部の制御の一例を説明する図である。
【図２５】設定変更部の制御の一例を説明する図である。
【図２６】設定変更部の制御の一例を説明する図である。
【図２７】設定変更部の制御の一例を説明する図である。
【図２８】設定変更部の制御の一例を説明する図である。
【図２９】タッチパネルに表示された監視画面の一例を示す図である。
【図３０】他の実施形態に係る設定管理装置を備える繊維機械を示す図である。
【発明を実施するための形態】
【００３３】
以下、添付図面を参照して、本発明の好適な実施形態について詳細に説明する。なお、図面の説明において同一又は相当要素には同一符号を付し、重複する説明は省略する。
【００３４】
図１は、一実施形態に係る設定管理装置を備える繊維機械を示す図である。図１に示すように、繊維機械１は、複数の機台３を含んで構成されている。各機台３は、同様の構成を有している。以下では、１台の機台３を一例に説明する。
【００３５】
機台３は、図示しない複数のユニットと、ユニットの動作を統括的に制御する図示しない機台制御装置と、設定管理装置５と、を備えている。繊維機械１が紡績機である場合には、ユニット（紡績ユニット）は、例えば、図示しないドラフト装置、空気紡績装置、糸貯留装置、ワキシング装置、及び、巻取装置を備えている。機台制御装置は、設定管理装置５により設定された設定内容に基づいてユニットの各装置の動作を制御する。なお、設定管理装置５は、機台制御装置とは独立した装置と捉えることができるが、機台制御装置の中の一つの構成要素（装置）と捉えることもできる。
【００３６】
図２は、設定管理装置５の構成を示す図である。設定管理装置５は、機台３の運転条件の設定入力等の操作、機台効率や糸品質管理等の生産状況のモニターを行う装置である。具体的には、設定管理装置５では、機台３の各種運転条件の設定入力、ロット設定の保存と割り付けと削除、各種保全モードの設定を行うことができる。また、設定管理装置５では、機台３の稼働状態のデータとその分析結果の表示、及び、機台３のアラーム発生状態の表示を行うことができる。さらに、設定管理装置５では、アクセスプロパティ機能として、後述するアクセス権限の設定を行うことができる。
【００３７】
図２に示すように、設定管理装置５は、タッチパネル（表示部）１０と、表示制御部１２と、記憶部１４と、設定変更部１６と、通信部１８と、入出力部２０と、を備えている。設定管理装置５は、ＣＰＵ（Central Processing Unit）、ＲＡＭ（Random AccessMemory）及びＲＯＭ(Read Only Memory)等を含んで構成されている。
【００３８】
タッチパネル１０は、ユニットの各種設定に係る情報及びユニットの稼働状態に係る情報を表示すると共に、アクセス者からの操作を受け付ける。すなわち、タッチパネル１０は、表示部及び操作入力部として機能する。タッチパネル１０は、例えば、機台３の原動機ボックス（図示略）に配置されている。タッチパネル１０は、表示制御部１２から出力された表示情報に基づいて表示画面を表示する。タッチパネル１０は、アクセス者により表示画面がタッチ操作されると、操作情報を表示制御部１２又は記憶部１４に出力する。
【００３９】
表示制御部１２は、タッチパネル１０に表示させる表示画面の制御を行う。表示制御部１２は、記憶部１４に記憶されている設定情報に基づいて表示情報を生成し、表示情報をタッチパネル１０に出力して、タッチパネル１０に表示画面を表示させる。
【００４０】
図３は、タッチパネル１０に表示されたアクセス権限設定画面Ｄの一例を示す図である。表示制御部１２は、タッチパネル１０に表示情報を出力し、図３に示すように、表示画面の１つであるアクセス権限設定画面Ｄをタッチパネル１０に表示させる。アクセス権限設定画面Ｄは、アクセスプロパティ機能を実現するための画面であって、設定管理装置５においてタッチパネル１０に表示させる表示画面のアクセス権限の設定を行う画面である。アクセス権限設定画面Ｄには、例えば、メインメニューＭ１と、セカンドメニューＭ２と、サードメニューＭ３と、フォースメニューＭ４と、サブメニューＭ５と、コンテンツＣと、ツリーパスＴと、が表示されている。メインメニューＭ１、セカンドメニューＭ２、サードメニューＭ３及びフォースメニューＭ４は階層構造となっており、メインメニューＭ１の内容が、メニューＭ２〜Ｍ４によって細かく分類されている。このメニューＭ１〜Ｍ４の階層構造が表示画面の階層構造と一致する。表示画面の階層構造は、例えば図４に示すように構成されている。なお、この階層構造は一例であって、例えば本実施形態では最大で第４階層まであるが、階層の数はこれに限定されない。
【００４１】
メインメニューＭ１は、画面左上に表示されている。メインメニューＭ１では、例えば、「設定」、「運転モニター」、「品質」、「保全」、「ロット管理」、及び「管理者」のカテゴリーがアイコンで表示されている。
【００４２】
「設定」は、新規ロットを作成、設定する画面を表示させる。「運転モニター」は、機台３の稼働データとその分析結果を表示する画面を表示させる。「品質」は、品質に関するデータを表示する画面を表示させる。「保全」は、各種保全モード設定、アラーム履歴、プログラムダウンロード等の保全を行う画面を表示させる。「ロット管理」は、ロットの割り付け、ロット削除等を行う画面を表示させる。「管理者」は、時刻、単位、言語の切り替え、シフト時間、アクセスプロパティ、機台３の仕様変更等、各種の基本設定を行う画面を表示させる。図３では、アクセス権限設定画面Ｄを表示させるために、「管理者」（図３のメインメニューＭ１において右端に配置されたアイコン）が選択されている。
【００４３】
セカンドメニューＭ２は、メインメニューＭ１の下方に表示されている。セカンドメニューＭ２は、メインメニューＭ１のそれぞれのカテゴリー（「管理者等」）に対応したカテゴリーを有しており、メインメニューＭ１の下位の階層に設定されている。サードメニューＭ３は、画面右に表示されている。サードメニューＭ３は、セカンドメニューＭ２のそれぞれのカテゴリーに対応したカテゴリーを有しており、セカンドメニューＭ２の下位の階層に設定されている。フォースメニューＭ４は、サードメニューＭ３の左に表示されている。フォースメニューＭ４は、サードメニューＭ３のそれぞれのカテゴリーに対応したカテゴリーを有しており、サードメニューＭ３の下位の階層に設定されている。なお、メインメニューＭ１よりも下位の階層のメニュー（例えば、フォースメニューＭ４）については、設定されていない場合もある。アクセス者は、例えば、メインメニューＭ１、セカンドメニューＭ２、サードメニューＭ３及びフォースメニューＭ４の順番でメニューを操作し、所望する表示画面をタッチパネル１０に表示させる。サブメニューＭ５は、画面右上に表示されており、使用頻度の高い画面、機能を表示させるアイコンである。なお、各メニューＭ１〜Ｍ５の表示位置はこれに限定されるものではない。
【００４４】
コンテンツＣは、選択されたメニューＭ１〜Ｍ５に準ずる内容を表示している。図３では、メインメニューＭ１（「管理者」）→セカンドメニューＭ２（「ユーザ管理」）→サードメニューＭ３（「アクセスプロパティ（設定）」）→フォースメニューＭ４（「基本設定」）の階層で選択されたメニューの内容が表示されている。コンテンツＣに表示される内容の階層構造（パス）については、画面の下部に表示されたツリーパスＴにより確認できる。
【００４５】
アクセス権限設定画面ＤのコンテンツＣには、第１設定領域Ａ１と、第２設定領域Ａ２と、が表示されている。すなわち、表示制御部１２は、記憶部１４に記憶されている設定情報を読み出し、その設定情報に基づいて、第１設定領域Ａ１及び第２設定領域Ａ２をタッチパネル１０のコンテンツＣに表示させる。コンテンツＣには、第１設定領域Ａ１及び第２設定領域Ａ２がこの順番で上下に並んで表示されている。なお、第１設定領域Ａ１及び第２設定領域Ａ２の表示態様はこれに限定されず、例えば左右に並んで表示されていてもよい。
【００４６】
第１設定領域Ａ１は、表示画面のアクセス権限を、表示画面毎で且つ表示画面にアクセスするアクセス者のアクセスレベル毎に設定するための部分である。具体的には、「ＭＡＮＵＦＡＣＴＵＲＥＲ」のアクセスレベルのアクセス者が「パッケージ（生産）」の表示画面のアクセス権限を設定する場合、第１設定領域Ａ１には、図３に示すように、例えば、「階層１：設定」、「階層２：ロット」及び「画面：パッケージ（生産）」の３個の画面項目と、この３個の画面項目に対応して「ＯＰＥＲＡＴＯＲ」、「ＭＡＩＮＴＥＮＡＮＣＥ」及び「ＡＤＭＩＮＩＳＴＲＡＴＯＲ」の３つのアクセスレベルとが表示されている。
【００４７】
画面項目は、選択した表示画面そのものの項目（実画面項目）と、その表示画面が属する階層構造の上位の階層に対応する項目（階層画面項目）とを有する。すなわち、第１設定領域Ａ１では、選択した表示画面と、その表示画面が属する階層構造の上位の階層とのそれぞれについて、アクセスレベル毎にアクセス権限を設定できる。例えば、選択した表示画面が第３階層に位置する画面であれば、当該選択した表示画面に加えて、当該選択した表示画面が属する階層構造の第１階層と第２階層とについても、アクセス権限を設定できる。階層の画面項目のアクセス権限を変更した場合には、その階層下に位置する他の全ての表示画面についてもアクセス権限が変更される。以下では、選択した表示画面そのものについてのアクセス権限を、「画面」の画面項目のアクセス権限ともいう。また、当該選択した表示画面の属する階層構造の上位階層についてのアクセス権限を、「階層」の画面項目のアクセス権限ともいう。「階層」のアクセス権限も当然、表示画面のアクセス権限である。
【００４８】
本実施形態では、アクセスレベルは、「ＯＰＥＲＡＴＯＲ（オペレーター）」、「ＭＡＩＮＴＥＮＡＮＣＥ（保全）」、「ＡＤＭＩＮＩＳＴＲＡＴＯＲ（管理者）」及び「ＭＡＮＵＦＡＣＴＵＲＥＲ（製造者）」の４つのレベルが用意されている。
【００４９】
「ＯＰＥＲＡＴＯＲ」、「ＭＡＩＮＴＥＮＡＮＣＥ」及び「ＡＤＭＩＮＩＳＴＲＡＴＯＲ」は繊維機械１を使用するユーザ（使用者）のために用意されたレベルである。「ＭＡＮＵＦＡＣＴＵＲＥＲ」は、繊維機械１を製造したメーカー（製造者）のために用意されたレベルである。「ＯＰＥＲＡＴＯＲ」、「ＭＡＩＮＴＥＮＡＮＣＥ」、「ＡＤＭＩＮＩＳＴＲＡＴＯＲ」及び「ＭＡＮＵＦＡＣＴＵＲＥＲ」は、この順にアクセスレベルが高くなっている。すなわち、アクセスレベルは、「ＯＰＥＲＡＴＯＲ」＜「ＭＡＩＮＴＥＮＡＮＣＥ」＜「ＡＤＭＩＮＩＳＴＲＡＴＯＲ」＜「ＭＡＮＵＦＡＣＴＵＲＥＲ」の関係を満たしている。
【００５０】
設定管理装置５では、アクセス者が設定管理装置５を操作するときに、各アクセスレベルのログインパスワードを入力して各アクセスレベルでログインする。なお、ログインの仕方はパスワードの入力に限定されず、例えばキーやＩＤカードを使ってもよい。この場合、キーやカード等に埋め込まれた識別情報により、アクセスレベルが判断される。
【００５１】
設定管理装置５では、アクセスレベルに応じて、アクセス者が実施できる内容が異なっている。例えば、通常は、「ＯＰＥＲＡＴＯＲ」でログインしている場合には、設定項目、及びモニター項目の閲覧が可能とされている。「ＭＡＩＮＴＥＮＡＮＣＥ」でログインしている場合には、上記の閲覧に加えて、運転や保全に関する一般的な設定変更が可能とされている。「ＡＤＭＩＮＩＳＴＲＡＴＯＲ」では、上記閲覧及び設定変更に加えて、機台仕様及びパスワード等の設定管理の変更が可能とされている。「ＭＡＮＵＦＡＣＴＵＲＥＲ」では、さらに多くのことを実施できるようになっている。
【００５２】
なお、図３に示すアクセス権限設定画面Ｄでは、「ＭＡＮＵＦＡＣＴＵＲＥＲ」でログインした画面を示しているため、「ＡＤＭＩＮＩＳＴＲＡＴＯＲ」のアクセスレベルまで表示されているが、「ＡＤＭＩＮＩＳＴＲＡＴＯＲ」でログインした場合には、「ＭＡＩＮＴＥＮＡＮＣＥ」までしかアクセスレベルが表示されず、「ＭＡＩＮＴＥＮＡＮＣＥ」でログインした場合には、「ＯＰＥＲＡＴＯＲ」しかアクセスレベルが表示されない。「ＯＰＥＲＡＴＯＲ」でログインした場合には、アクセス権限設定画面Ｄ自体が表示されない。すなわち、ログインしたアクセスレベルよりも低いアクセスレベルのアクセスプロパティしかアクセス権限設定画面Ｄで表示されず、自身よりも低いアクセスレベルのアクセスプロパティしか変更できないようになっている。
【００５３】
第１設定領域Ａ１では、アクセスレベル毎に、各画面項目のアクセス権限として、「表示」及び「非表示」の設定を行うことができる。「表示」は、特定の表示画面を表示させる設定であり、「非表示」は、特定の表示画面を表示させない設定である。換言すれば、「表示」と「非表示」の２つの異なるアクセス権限が用意されている。「表示」の方が「非表示」よりもアクセス権限が強く、「非表示」＜「表示」の関係を満たしている。
【００５４】
第１設定領域Ａ１には、各画面項目に対して、各アクセスレベルに対応する設定ボタン（第１設定ボタン）Ｂ１がそれぞれ設けられている。設定ボタンＢ１は、画面項目の「表示」及び「非表示」を設定するためのボタンである。表示制御部１２は、記憶部１４に記憶されている設定情報に基づいて、設定ボタンＢ１において現在のアクセス権限の設定状態を表示させている。例えば、図３に示す設定ボタンＢ１においては、各画面項目について、全てのアクセスレベルで「表示」と表示されている。
【００５５】
第２設定領域Ａ２は、繊維機械１の運転条件等に係る設定項目のアクセス権限を、設定項目毎で且つアクセスレベル毎に設定する部分である。具体的には、第２設定領域Ａ２には、図３に示すように、例えば、「ａ」〜「ｊ」の１０個の設定項目が表示されている。設定項目は、例えば紡績機において「パッケージ（生産）」の表示画面を選択した場合には、パッケージの生産の設定に関する項目であり、例えば、糸種、原料、番手、パッケージ定長、パッケージ重量等である。
【００５６】
第２設定領域Ａ２では、アクセスレベル毎に、各設定項目のアクセス権限として、「非表示」、「読み取り専用」及び「設定変更可」に設定することができる。「非表示」は、設定項目を表示画面において表示させない設定である。「読み取り専用」は、設定項目を表示画面に表示するが設定変更は受け付けない設定である。「設定変更可」は、表示画面において設定項目の設定を変更可能とする設定である。換言すれば、「非表示」、「読み取り専用」及び「設定変更可」の３つの異なるアクセス権限が用意されている。これらのアクセス権限の強弱は段階的であり、「非表示」＜「読み取り専用」＜「設定変更可」の関係を満たしている。
【００５７】
第２設定領域Ａ２では、各設定項目に対して、第１設定領域Ａ１に表示されている各アクセスレベルに対応する設定ボタン（第２設定ボタン）Ｂ２がそれぞれ設けられている。設定ボタンＢ２は、設定項目の「非表示」、「読み取り専用」及び「設定変更可」を設定するためのボタンである。表示制御部１２は、記憶部１４に記憶されている設定情報に基づいて、設定ボタンＢ２において現在のアクセス権限の設定状態を表示させている。
【００５８】
第１設定領域Ａ１においてアクセス権限の変更が行われたときの動作について説明する。図５は、設定ボタンＢ１が押下されたときの設定画面の一例を示す図である。まず、アクセス者が、アクセス権限を変更したい所定のアクセスレベル及び画面項目（例えば、「ＯＰＥＲＡＴＯＲ」の「画面：パッケージ（生産）」）に対応する設定ボタンＢ１を押下する。
【００５９】
設定ボタンＢ１がアクセス者により押下されると、タッチパネル１０は、操作情報を表示制御部１２に出力する。これに応じて、表示制御部１２は、図５に示すように、ポップアップ画面ＰＤ１をタッチパネル１０に表示させる。ポップアップ画面ＰＤ１には、「表示」及び「非表示」のアクセス権限の選択肢が表示されている。表示制御部１２は、ポップアップ画面ＰＤ１において「表示」及び「非表示」の選択肢の中から何れか１つが選択されたことを示す操作情報がタッチパネル１０から出力されると、その選択された選択肢に応じて、設定ボタンＢ１の表示を変更する。また、タッチパネル１０は、記憶部１４に操作情報を出力し、記憶部１４は、受け取った操作情報を設定情報として記憶する。この設定情報には、画面項目を示す情報と、その画面項目のアクセスレベルを示す情報と、その画面項目のアクセス権限を示す情報と、が含まれている。
【００６０】
続いて、第２設定領域Ａ２においてアクセス権限の変更が行われたときの動作について説明する。図６は、設定ボタンＢ２が押下されたときの設定画面の一例を示す図である。まず、アクセス者が、アクセス権限を変更したい所定のアクセスレベル及び設定項目（例えば、「ＯＰＥＲＡＴＯＲ」の設定項目「ａ」）に対応する設定ボタンＢ２を押下する。
【００６１】
第２設定領域Ａ２において設定ボタンＢ２が押下されると、タッチパネル１０は、操作情報を表示制御部１２に出力する。これに応じて、表示制御部１２は、図６に示すように、ポップアップ画面ＰＤ２をタッチパネル１０に表示させる。ポップアップ画面ＰＤ２には、「非表示」、「読み取り専用」及び「設定変更可」のアクセス権限の選択肢が表示されている。表示制御部１２は、ポップアップ画面ＰＤ２において「非表示」、「読み取り専用」及び「設定変更可」の選択肢の中から何れか１つが選択されたことを示す操作情報がタッチパネル１０から出力されると、その選択された選択肢に応じて、第２設定領域Ａ２での設定ボタンＢ２の表示を変更する。また、タッチパネル１０は、記憶部１４に操作情報を出力し、記憶部１４は、受け取った操作情報を設定情報として記憶する。この設定情報には、設定項目を示す情報と、その設定項目のアクセスレベルを示す情報と、その設定項目のアクセス権限を示す情報と、が含まれている。
【００６２】
表示制御部１２は、上記のように第１設定領域Ａ１及び第２設定領域Ａ２において設定が変更されたときに、設定が変更された設定ボタンＢ１，Ｂ２の表示の色を変更させる。図７は、第１設定領域及び第２設定領域を抜粋して示す図である。図７に示すように、表示制御部１２は、例えば、第２設定領域Ａ２の設定項目「ｅ」において、初期設定が「設定変更可」であった場合に、「非表示」に設定が変更されたときには、「非表示」の表示を他の表示の色（例えば黒）と区別できる色（例えば青）で表示させる。設定項目「ｈ」についても同様である。これにより、設定管理装置５では、アクセス者がアクセス権限設定画面Ｄを見たときに、今回変更された項目を一目で確認可能としている。
【００６３】
表示制御部１２は、第１設定領域Ａ１及び／又は第２設定領域Ａ２においてアクセス権限の設定が行われると、設定された内容に基づいて表示画面の表示を制御する。図８は、表示画面の一例を示す図である。図８では、「ＯＰＥＲＡＴＯＲ」がアクセスした場合における、図３に示すアクセス権限設定画面Ｄでの設定に基づく表示画面Ｄ２を示している。
【００６４】
アクセス者が、メインメニューＭ１（「設定」）→セカンドメニューＭ２（「ロット」）→サードメニューＭ３（「パッケージ（生産）」）の順にメニューボタンを押下すると、表示制御部１２は、この階層構造の表示画面に応じた設定情報を記憶部１４から読み出す。表示制御部１２は、読み出した設定情報に基づいて、表示画面Ｄ２をタッチパネル１０に表示させる。表示画面Ｄ２のコンテンツＣ１には、図３に示す設定項目に対応する「ａ」〜「ｅ」と、各設定項目に対して「ロット１」〜「ロット４」の項目とが表示されている。複数の設定項目の設定内容をひとまとめにしたものをロットと称する。繊維機械１では、複数のロット設定を保存可能となっている。
【００６５】
表示画面Ｄ２のコンテンツＣ１において、設定項目の「ａ」及び「ｅ」は、図３に示す第２設定領域Ａ２において「設定変更可」に設定されているため、設定変更を行うための設定ボタンＢ３，Ｂ４が表示されている。タッチパネル１０は、例えば、ロット１における設定項目「ｅ」の設定ボタンＢ４が押下されると、操作情報を表示制御部１２に出力する。これに応じて、表示制御部１２は、例えば、数値を入力する画面（図示略）をポップアップ表示させる。表示制御部１２は、ポップアップ画面において入力された数値を含む操作情報がタッチパネル１０から出力されると、設定ボタンＢ４の表示（「ｅ−１」）を変更する。また、タッチパネル１０は、記憶部１４に操作情報を出力し、記憶部１４は、受け取った操作情報を設定情報として記憶する。設定ボタンＢ３が押下された場合についても、同様の制御が実施される。
【００６６】
コンテンツＣ１の「ｂ」〜「ｄ」は、図３のアクセス権限設定画面Ｄにおいて「読み取り専用」に設定されているため、例えば数値（「ｂ−２」等）が表示されている。図３のアクセス権限設定画面Ｄにおいて「非表示」に設定された「ｆ」〜「ｊ」については、コンテンツＣ１には表示されていない。
【００６７】
図２に戻って、記憶部１４は、第１設定領域Ａ１において設定された表示画面毎のアクセス権限と、第２設定領域において設定された設定項目毎のアクセス権限とを、それぞれアクセスレベル毎に記憶する。記憶部１４は、タッチパネル１０から出力された操作情報を受け取ると、その操作情報を設定情報として既存の設定情報に上書きして情報を更新して記憶する。また、記憶部１４は、機台３の稼働データを逐次記憶する。
【００６８】
設定変更部１６は、記憶部１４に記憶されている設定情報を変更する。設定変更部１６は、アクセス者による第１設定領域Ａ１及び／又は第２設定領域Ａ２の操作により記憶部１４に記憶されている一のアクセス権限の設定が変更された場合、この変更に応じて記憶部１４に記憶されている他のアクセス権限の設定を連動して変更する。設定変更部１６は、アクセス権限の設定に関して、アクセスレベルと設定内容に応じた所定の連動パターン（規則）を複数有しており、この連動パターンにしたがってアクセス権限の設定を変更する。以下、設定変更部１６の制御について詳細に説明する。
【００６９】
＜設定変更部１６の第１設定領域Ａ１での連動＞
第１設定領域Ａ１では、前述のように、「表示」及び「非表示」の２つのアクセス権限の設定が可能とされている。設定変更部１６は、第１設定領域Ａ１において設定された各表示画面の画面項目毎のアクセス権限を、アクセスレベル間において（上位のアクセスレベルと下位のアクセスレベルとにおいて）、及び／又は画面階層間において（上位の階層と下位の階層とにおいて）連動させる。設定変更部１６の第１設定領域Ａ１における具体的な制御について、図９〜図１６を参照して説明する。図９〜図１６は、設定変更部１６の制御の一例を説明する図である。
【００７０】
［連動パターン１  画面項目：上位アクセスレベルへの「表示」設定の連動］
設定変更部１６は、図９に示すように、所定のアクセスレベルの画面項目において「非表示」から「表示」に設定が変更された場合には、それよりも上位のアクセスレベルの画面項目についても「表示」に設定する。詳細には、設定変更部１６は、記憶部１４の設定情報に含まれるアクセス権限の情報を「非表示」から「表示」に変更する。このとき、表示制御部１２は、変更された記憶部１４の設定情報に基づいて、設定ボタンＢ１の表示を「表示」に変更させる。なお、以下の説明においては、設定変更部１６の記憶部１４における制御、及び、表示制御部１２の制御については説明を省略する。
【００７１】
つまり、例えば、「画面」の画面項目の現在の設定（現在設定値）が「非表示」である場合に、アクセス者により例えば「ＯＰＥＲＡＴＯＲ」について「表示」に設定が変更された場合には、設定変更部１６は、その上位のアクセスレベルである「ＭＡＩＮＴＥＮＡＮＣＥ」と「ＡＤＭＩＮＩＳＴＲＡＴＯＲ」についても「表示」に変更する。なお、設定変更部１６は、所定のアクセスレベルにおいて「表示」に変更された場合において、それよりも下位のアクセスレベルについてはアクセス権限を変更しない。
【００７２】
［連動パターン２  画面項目：下位アクセスレベルへの「非表示」設定の連動］
設定変更部１６は、図１０に示すように、所定のアクセスレベルの画面項目において「表示」から「非表示」に設定が変更された場合には、それよりも下位のアクセスレベルの画面項目についても「非表示」に設定する。
【００７３】
つまり、例えば、「画面」の画面項目の現在の設定が「表示」である場合に、アクセス者により例えば「ＡＤＭＩＮＩＳＴＲＡＴＯＲ」について「非表示」に変更された場合には、設定変更部１６は、その下位のアクセスレベルである「ＯＰＥＲＡＴＯＲ」と「ＭＡＩＮＴＥＮＡＮＣＥ」についても「非表示」に設定する。なお、設定変更部１６は、所定のアクセスレベルにおいて「表示」から「非表示」に設定が変更された場合において、それよりも上位のアクセスレベルについてはアクセス権限を変更しない。
【００７４】
［連動パターン３  画面項目：上位階層への「表示」設定の連動］
設定変更部１６は、図１１及び図１２に示すように、所定の階層位置の画面項目について「非表示」から「表示」に変更された場合には、それよりも上位の階層の画面項目についても「表示」に設定する。
【００７５】
つまり、例えば図１１に示すように、「画面」と「階層」の画面項目の現在の設定が全て「非表示」である場合に、アクセス者により例えば「画面」の画面項目について「表示」に変更された場合には、設定変更部１６は、それよりも上位の階層の画面項目（階層１〜３）も「表示」に設定する。また、例えば図１２に示すように、設定変更部１６は、アクセス者により例えば「階層２」の画面項目について「表示」に設定された場合には、それよりも上位の階層の画面項目（階層１）も「表示」に設定する。なお、設定変更部１６は、所定の画面項目について「非表示」から「表示」に変更された場合には、それよりも下位の階層の画面項目についてはアクセス権限を変更しない。つまり、例えば図１２の場合において、設定変更部１６は、変更された画面項目よりも下位の階層の画面項目（階層３、画面）についてはアクセス権限を変更しない。
【００７６】
［連動パターン４  画面項目：上位階層への「非表示」設定の連動］
設定変更部１６は、図１３〜図１６に示すように、所定の階層位置の画面項目について「表示」から「非表示」に変更された場合には、それよりも上位の階層の画面項目についても「非表示」に設定する。ただし、その上位の階層に紐づく画面・アクセスレベルに「表示」に設定されている画面が存在している場合には、その階層よりも上位の階層については「非表示」に設定を変更しない。
【００７７】
つまり、例えば図１３に示すように、全ての画面項目の現在の設定が「表示」である場合に、アクセス者により例えば「画面」の画面項目について「非表示」に変更され、その「画面」の上位階層に紐づく画面・アクセスレベルに「表示」設定の画面が存在していない場合には、設定変更部１６は、「画面」よりも上位の階層の画面項目（階層１〜３）についても「非表示」に設定する。
【００７８】
また、例えば図１４に示すように、アクセス者により例えば「階層３」について「非表示」に変更された場合に、その上位階層の「階層１」、「階層２」に紐づく画面・アクセスレベルに「表示」設定の画面が存在していない場合には、設定変更部１６は、「階層３」よりも上位の階層の画面項目（階層１、階層２）も「非表示」に設定する。なお、「階層３」よりも下位の階層の画面項目（画面）についてはアクセス権限を変更しない。
【００７９】
また、例えば図１５に示すように、アクセス者により例えば「画面」について「非表示」に変更された場合には、設定変更部１６は、原則としてそれよりも上位の階層の画面項目（階層１〜３）も「非表示」に設定するが、例えば階層２に紐づく画面・アクセスレベルに「表示」設定の画面が存在している場合には、階層２以上の上位の階層の画面項目（階層１，２）についてはアクセス権限を変更しない。
【００８０】
また、例えば図１６に示すように、アクセス者により例えば「階層３」について「非表示」に変更された場合に、例えば階層２に紐づく画面・アクセスレベルに「表示」設定の画面が存在している場合には、設定変更部１６は、階層２以上の上位の階層の画面項目（階層１，２）と、階層３よりも下位の階層の画面項目（画面）についてはアクセス権限を変更しない。
【００８１】
＜設定変更部１６の第２設定領域Ａ２での連動＞
第２設定領域Ａ２では、前述のように、「非表示」、「読み取り専用」及び「設定変更可」の３つのアクセス権限の設定が可能とされている。以下、設定変更部１６の第２設定領域Ａ２における具体的な制御について、図１７〜図１９を参照して説明する。図１７〜図１９は、設定変更部１６の制御の一例を説明する図である。図１７〜図１９では、非表示を「非」、読み取り専用を「読取」、設定変更可を「設定」と示している。また、以下の説明においては、前述のとおり、アクセス権限の強弱が「非表示」＜「読み取り専用」＜「設定変更可」の関係を満たしていることを前提としている。
【００８２】
［連動パターン５  設定項目：上位アクセスレベルへの「設定変更可」設定の連動］
図１７に示すように、設定変更部１６は、所定のアクセスレベルの設定項目において「設定変更可」に設定が変更された場合には、それよりも上位のアクセスレベルの設定項目についても「設定変更可」に設定する。なお、設定変更部１６は、上位のアクセスレベルへの連動につき、上位のアクセスレベルの現在のアクセス権限が「設定変更可」よりも弱い権限（読み取り専用、非表示）である場合には「設定変更可」に設定し、「設定変更可」に設定されている場合には変更を行わずに設定をそのまま維持する。
【００８３】
つまり、例えば、アクセス者により「ＭＡＩＮＴＥＮＡＮＣＥ」について設定項目が「設定変更可」に変更された場合には、設定変更部１６は、それよりも上位のアクセスレベルである「ＡＤＭＩＮＩＳＴＲＡＴＯＲ」の設定項目についても「設定変更可」に設定する。
【００８４】
［連動パターン６  設定項目：他アクセスレベルへの「読み取り専用」設定の連動］
図１８に示すように、設定変更部１６は、所定のアクセスレベルの設定項目において「読み取り専用」に設定が変更された場合には、それよりも上位のアクセスレベルの設定項目を「読み取り専用」以上のアクセス権限（読み取り専用、設定変更可）に設定すると同時に、それよりも下位のアクセスレベルの設定項目を「読み取り専用」以下のアクセス権限（読み取り専用、非表示）に設定する。ここで、設定変更部１６は、上位のアクセスレベルへの連動につき、上位のアクセスレベルの現在のアクセス権限が「読み取り専用」よりも弱い権限（非表示）である場合には「読み取り専用」に設定し、「読み取り専用」以上の権限に設定されている場合には変更を行わずに設定をそのまま維持する。同時に、下位のアクセスレベルへの連動につき、設定変更部１６は、下位のアクセスレベルの現在のアクセス権限が「読み取り専用」よりも強いアクセス権限（設定変更可）である場合には「読み取り専用」に設定し、「読み取り専用」以下の権限に設定されている場合には変更を行わずに設定をそのまま維持する。
【００８５】
［連動パターン７  設定項目：下位アクセスレベルへの「非表示」設定の連動］
図１９に示すように、設定変更部１６は、所定のアクセスレベルの設定項目において「非表示」に設定が変更された場合には、それよりも下位のアクセスレベルの設定項目についても「非表示」に設定する。
【００８６】
つまり、アクセス者により例えば「ＭＡＩＮＴＥＮＡＮＣＥ」について設定項目が「非表示」に変更された場合には、設定変更部１６は、それよりも下位のアクセスレベルである「ＯＰＥＲＡＴＯＲ」の設定項目についても「非表示」に設定する。
【００８７】
＜第１設定領域Ａ１と第２設定領域Ａ２との連動＞
設定変更部１６は、第１設定領域Ａ１において設定された表示画面毎のアクセス権限と、第２設定領域Ａ２において設定された設定項目毎のアクセス権限とを連動させる。図２０〜図２７は、設定変更部１６の制御の一例を説明する図である。図２０〜図２７では、非表示を「非」、読み取り専用を「読取」、設定変更可を「設定」と示している。
【００８８】
［連動パターン８  設定項目：画面項目への「読み取り専用」設定の連動］
図２０に示すように、設定変更部１６は、所定のアクセスレベルの設定項目において「読み取り専用」に設定が変更された場合には、当該設定項目を表示する表示画面の画面項目を「表示」に設定する。
【００８９】
つまり、例えば、アクセス者により設定項目が「非表示」から「読み取り専用」に変更された場合であって、対応表示画面の画面項目が「非表示」である場合には、当該画面項目を「表示」に変更する。なお、例えば、アクセス者により設定項目が「設定変更可」から「読み取り専用」に変更された場合には、対応表示画面の画面項目の現在の設定は「表示」であるはずなので、そのまま「表示」設定を維持する（変更しない）。
【００９０】
［連動パターン９  設定項目：画面項目への「設定変更可」設定の連動］
図２１に示すように、設定変更部１６は、所定のアクセスレベルの設定項目において「設定変更可」に設定が変更された場合には、当該設定項目を表示する表示画面の画面項目を「表示」に設定する。
【００９１】
つまり、例えば、アクセス者により設定項目が「非表示」から「設定変更可」に変更された場合であって、対応表示画面の画面項目が「非表示」である場合には、「表示」に設定を変更する。なお、例えば、アクセス者により設定項目が「読み取り専用」から「設定変更可」に変更された場合には、対応表示画面の画面項目の現在の設定は「表示」であるはずなので、そのまま「表示」設定を維持する（変更しない）。
【００９２】
［連動パターン１０  設定項目：画面項目への「非表示」設定の連動］
図２２及び図２３に示すように、設定変更部１６は、所定のアクセスレベルの設定項目において「非表示」に設定が変更された場合には、対応表示画面の画面項目を「非表示」に設定する。ただし、対応表示画面に表示される他の設定項目に「読み取り専用」又は「設定変更可」設定のものが存在する場合には、「非表示」に変更しない。すなわち、対応表示画面での表示対象となっている設定項目の全てが「非表示」の設定となった場合に限り、対応表示画面の画面項目を「非表示」に設定する。
【００９３】
つまり、図２２に示すように、設定変更部１６は、アクセス者によって例えば設定項目１が「読み取り専用」又は「設定変更可」から「非表示」に変更された場合であって、設定項目２の現在の設定も「非表示」である場合には、対応表示画面の画面項目を「非表示」に変更する。なお、図２２及び図２３の前提として、対応表示画面に表示される設定項目は、設定項目１，２のみとなっている。
【００９４】
また、図２３に示すように、設定変更部１６は、アクセス者によって例えば設定項目１が「読み取り専用」又は「設定変更可」から「非表示」に設定された場合であっても、設定項目２が「読み取り専用」又は「設定変更可」に設定されている場合には、対応表示画面の画面項目のアクセス権限を変更しない。設定変更部１６はこのように、対応表示画面の設定項目において１つでも「読み取り専用」又は「設定変更可」が設定されている場合には、画面項目を「非表示」に変更しない。
【００９５】
［連動パターン１１  設定項目：階層構造の画面項目への「読み取り専用」又は「設定変更可」設定の連動］
図２４及び図２５に示すように、設定変更部１６は、所定のアクセスレベルの設定項目において「非表示」から「読み取り専用」又は「設定変更可」に設定が変更された場合には、階層化された対応表示画面の画面項目全てを「表示」に設定する。図２４及び図２５では、画面項目の「階層１」、「階層２」、「階層３」及び「画面」の「非表示」に対して設定項目が「非表示」に設定され、画面項目の「階層１」、「階層２」、「階層３」及び「画面」の「表示」に対して設定項目が「読み取り専用」に設定されている。
【００９６】
つまり、設定変更部１６は、図２４に示すように、アクセス者によって例えば設定項目が「非表示」から「読み取り専用」に変更された場合には、「画面」の画面項目を「表示」に設定すると共に、それよりも上位の階層の画面項目（階層１〜３）も「表示」に設定する。
【００９７】
また、設定変更部１６は、図２５に示すように、アクセス者によって例えば設定項目が「非表示」から「設定変更可」に設定された場合には、「画面」の画面項目を「表示」に設定すると共に、それよりも上位の階層の画面項目（階層１〜３）も「表示」に設定する。
【００９８】
［連動パターン１２  設定項目：階層構造の画面項目への「非表示」設定の連動］
図２６及び図２７に示すように、設定変更部１６は、所定のアクセスレベルの設定項目において「読み取り専用」又は「設定変更可」から「非表示」に設定が変更された場合には、階層化された対応表示画面の画面項目すべてを「非表示」に設定する。ただし、上位階層に紐づく画面・アクセスレベルに「表示」設定の画面が存在する場合には、その階層以上は「非表示」に変更しない。ここで、図２６及び図２７では、現在設定値に関し、画面項目の「階層１」、「階層２」、「階層３」及び「画面」の「表示」に対して設定項目が「読み取り専用」又は「設定変更可」に設定されている。
【００９９】
つまり、設定変更部１６は、図２６に示すように、アクセス者によって例えば設定項目が「読み取り専用」又は「設定変更可」から「非表示」に変更された場合には、対応表示画面の画面項目の「階層１」、「階層２」、「階層３」及び「画面」を「非表示」に設定する。ただし、図２６の場合においては、上位階層に紐づく画面・アクセスレベルには、「表示」設定の画面が存在していないものとする。
【０１００】
また、設定変更部１６は、図２７に示すように、アクセス者によって例えば設定項目が「読み取り専用」又は「設定変更可」から「非表示」に設定された場合であって、例えば階層２に紐づく画面・アクセスレベルに「表示」設定の画面が存在している場合には、階層２よりも下位の階層の画面項目（階層３，画面）については「非表示」に変更する一方、階層２以上の階層の画面項目（階層１，２）についてはアクセス権限を変更しない。
【０１０１】
［連動禁止］
図２８は、設定変更部１６の制御の一例を説明する図である。図２８では、非表示を「非」、読み取り専用を「読取」、設定変更可を「設定」と示している。設定変更部１６は、所定の画面項目のアクセス権限が変更された場合には、それよりも下位の階層の画面項目及び設定項目についてはアクセス権限の設定の変更を行わない。つまり、図２８に示すように、アクセス者により例えば画面項目の「階層１」が「表示」から「非表示」に変更された場合には、設定変更部１６は、それよりも下位の階層の画面項目（階層２、階層３、画面）及び設定項目についてはアクセス権限を現在設定値の「表示」や「読み取り専用／設定変更可」のまま維持する（変更しない）。
【０１０２】
図２に戻って、通信部１８は、各機台３同士を互いに通信可能に接続する。通信部１８は、他の機台３の設定管理装置５から出力された設定情報を受信すると共に、他の機台３の設定管理装置５に設定情報を出力する。機台３同士は、例えばＬＡＮ（Local Area Network）により通信可能に接続されている。通信部１８は、タッチパネル１０において、設定情報を出力する出力先（他の機台３）が設定されると、記憶部１４から設定情報を読み出し、出力先に設定情報を出力する。通信部１８は、他の機台３から設定情報を受信すると、その設定情報を記憶部１４に記憶させる。ＬＡＮは有線でも無線でもよい。
【０１０３】
通信部１８により機台３同士を互いに通信可能に接続することにより、複数の機台３の内の１台の設定管理装置５において設定を行うことによって、他の機台３の設定も変更することができる。なお、繊維機械１は、機台３を１つのみ有する構成であってもよく、このときは、通信部１８を設けなくてもよい。
【０１０４】
入出力部２０は、設定情報の入出力を行う。入出力部２０は、ポート（例えば、ＵＳＢ端子）を介して設定情報を外部記憶媒体２２に出力すると共に、外部記憶媒体２２から設定情報を入力する。外部記憶媒体２２は、例えば、ＵＳＢメモリ、外付けハードディスク等である。入出力部２０は、タッチパネル１０においてアクセス者から設定情報を出力する操作（サブメニューＭ５のハードコピーボタンの押下）が行われると、記憶部１４から設定情報を読み出し、ポートに接続された外部記憶媒体２２に設定情報を出力する。入出力部２０は、ポートに外部記憶媒体２２が接続されると、外部記憶媒体２２から設定情報を読み出し、その設定情報を記憶部１４に記憶させる。なお、入出力部２０において入出力される情報は、設定情報に限らず、他の情報であってもよい。
【０１０５】
以上説明したように、本実施形態に係る設定管理装置５では、表示制御部１２は、表示画面のアクセス権限を、表示画面毎で且つ表示画面にアクセスするアクセス者のアクセスレベル毎に設定する第１設定領域Ａ１をタッチパネル１０に表示させる。これにより、設定管理装置５では、第１設定領域Ａ１において表示画面のアクセス権限を設定できる。そのため、設定管理装置５では、アクセスプロパティ機能によって任意のアクセスレベルにおいて設定項目のアクセス権限を変更した場合には、そのアクセスレベルに対して、その設定項目が表示される表示画面にアクセスできるようにアクセス権限を設定できる。したがって、設定管理装置５では、設定項目のアクセス権限を変更したにもかかわらず、その設定項目が表示される表示画面を閲覧することができないといった不整合の発生を防止できる。
【０１０６】
本実施形態では、表示制御部１２は、繊維機械１において設定可能な設定項目のアクセス権限を、設定項目毎で且つアクセスレベル毎に設定する第２設定領域Ａをタッチパネル１０に表示させる。これにより、設定管理装置５では、第２設定領域Ａ２において設定項目毎にアクセス権限を設定できる。
【０１０７】
本実施形態では、表示画面毎のアクセス権限及び設定項目毎のアクセス権限のそれぞれを、アクセスレベル毎に記憶する記憶部１４と、第１設定領域Ａ１及び／又は第２設定領域Ａ２において設定されて記憶部１４に記憶されている一のアクセス権限の設定が変更された場合に、当該変更に連動して記憶部１４に記憶されている他のアクセス権限の設定を変更する設定変更部１６とを備えている。これにより、設定管理装置５では、一のアクセス権限の設定が変更された場合には、この変更に連動して記憶部１４に記憶されている他のアクセス権限の設定を変更するため、アクセス権限の整合を図ることができる。
【０１０８】
本実施形態では、設定変更部１６は、記憶部１４に記憶されている表示画面毎のアクセス権限と、記憶部１４に記憶されている設定項目毎のアクセス権限とを連動させて設定を変更している。これにより、設定管理装置５では、表示画面とその表示画面に表示される設定項目とのアクセス権限の整合を図ることができる。
【０１０９】
本実施形態では、設定変更部１６は、記憶部１４に記憶されている表示画面毎のアクセス権限を、各アクセスレベル間で連動させて設定を変更している。これにより、設定管理装置５では、表示画面のアクセス権限について、各アクセスレベルにおいて整合を図ることができる。
【０１１０】
本実施形態では、設定変更部１６は、第１設定領域Ａ１及び／又は第２設定領域Ａ２において設定されたアクセス権限のアクセスレベル及び設定内容に応じた複数のアクセス権限の連動パターンを有している。これにより、設定管理装置５では、画一的なアクセス権限の設定のみならず、多様にアクセス権限を連動させて設定することができる。
【０１１１】
本実施形態では、第１設定領域Ａ１では、表示画面毎のアクセス権限として、所定の表示画面の表示及び非表示の２つの設定が設定ボタンＢ１により可能とされている。また、第２設定領域Ａ２では、設定項目毎のアクセス権限として、設定変更可、読み取り専用、及び非表示の設定が設定ボタンＢ２により可能とされている。これにより、設定管理装置５では、アクセス権限が予め設定されているため、表示画面毎のアクセス権限の設定を容易に行うことができる。
【０１１２】
本実施形態では、設定変更部１６は、記憶部１４に記憶されている所定の表示画面の画面項目のアクセス権限が変更された場合には、所定の画面項目よりも階層が下位の画面項目のアクセス権限の設定の変更を行わない。例えば、上位の階層の表示画面のアクセス権限が「非表示」に設定されている場合には、その表示画面よりも下位の階層の表示画面は必然的に表示されない。したがって、設定管理装置５では、上位から下位の階層への変更を連動して行わなくても、「非表示」にすべき画面が表示されるといった不整合を防止できる。また、下位の階層の設定を変更しないため、下位の階層の表示画面のアクセス権限について、その後設定を戻すといった処理を省略できる。
【０１１３】
本実施形態では、設定変更部１６は、記憶部１４に記憶されている所定の表示画面のアクセス権限が変更された場合には、所定の表示画面に表示される設定項目のアクセス権限の設定の変更を行わない。設定項目は、表示画面に表示されるものである。そのため、表示画面のアクセス権限が例えば「非表示」に設定された場合には、表示画面自体が表示されないため、設定項目も表示されることはない。したがって、設定管理装置５では、表示画面に表示される設定項目のアクセス権限の設定の変更を行わなくても、表示されるべきではない設定項目が表示されるといった不整合を防止できる。また、設定項目のアクセス権限の設定を変更しないため、設定項目について、その後アクセス権限の設定を戻すといった処理を省略できる。
【０１１４】
本実施形態では、表示制御部１２は、アクセス権限設定画面ＤのコンテンツＣに、第１設定領域Ａ１及び第２設定領域Ａ２を並べて表示させている。これにより、アクセス者は、アクセス権限設定画面Ｄにおいて表示画面及び／又は設定項目のアクセス権限の設定を行うことができると共に、設定内容を容易に確認することができる。
【０１１５】
本実施形態では、各機台３に設けられた設定管理装置５のそれぞれは、通信部１８により互いに通信可能に設けられている。これにより、繊維機械１では、１台の設定管理装置５において設定を行うことにより、他の設定管理装置５の設定も行うことができ、効率化を図ることができる。
【０１１６】
本実施形態では、記憶部１４に記憶されているアクセス権限を含む設定情報を外部記憶媒体２２に出力、又は外部記憶媒体２２から設定情報を入力する入出力部２０を備えている。これにより、設定管理装置５では、他の設定管理装置５との間で外部記憶媒体２２を介して設定情報を共有することができる。したがって、通信部１８による通信を用いない場合であっても、１台の設定管理装置５において設定を行うことにより、他の設定管理装置５の設定も行うことができ、効率化を図ることができる。
【０１１７】
［その他］
本発明は、上記実施形態に限定されるものではなく、本発明の趣旨を逸脱しない範囲で種々変更できるものである。例えば、上記実施形態では、表示画面として図８に示すような設定画面を一例に説明したが、表示画面は監視画面であってもよい。図２９は、タッチパネルに表示される監視画面の一例を示す図である。表示制御部１２は、アクセス者によりメインメニューＭ１の「運転モニター」（左から２番目のアイコン）が押下されると、機台３の各種の状態を監視する監視画面をタッチパネル１０に表示させる。表示制御部１２は、メインメニューＭ１において「運転モニター」が押下されると、記憶部１４から機台３の稼働データを読み出す。表示制御部１２は、読み出した稼働データに基づいて、図２９に示すように、監視画面Ｄ３をタッチパネル１０に表示させる。監視画面Ｄ３のコンテンツＣ２には、機台３の稼働データとその分析結果が表示されている。監視画面Ｄ３についても、表示画面毎のアクセス権限をアクセスレベル毎に設定でき、表示可・不可の設定の自由度が増して有用である。
【０１１８】
上記実施形態では、各機台３に設定管理装置５を備える構成を一例に説明したが、図３０に示すように、繊維機械１Ａは、ホストコンピュータ（統括制御装置）３０に設定管理装置５が備えられている構成であってもよい。ホストコンピュータ３０は、各機台３Ａを統括的に制御する装置である。ホストコンピュータ３０と各機台３Ａとは、互いに通信可能に接続されている。設定管理装置５において各種設定が実施されると、各機台３Ａに設定情報が出力され、各機台３Ａが設定される。
【０１１９】
上記実施形態では、繊維機械１が紡績機である場合を一例に説明したが、繊維機械は糸巻取機であってもよい。糸巻取機に対しても、紡績機と同様に設定管理装置５を適用することができる。
【０１２０】
上記実施形態では、第１設定領域Ａ１において１つの表示画面に対して、それぞれ個別にアクセス権限の設定を行う構成を一例に説明したが、予め複数の表示画面をグループ化しておき、そのグループ単位でアクセス権限の設定を行ってもよい。
【０１２１】
上記実施形態では、記憶部１４に記憶されている所定の表示画面の画面項目のアクセス権限が変更された場合には、当該画面項目よりも階層が下位の画面項目のアクセス権限の設定の変更を設定変更部１６が行わない構成を一例に説明したが、アクセス権限の設定を変更してもよい。
【０１２２】
上記実施形態では、記憶部１４に記憶されている所定の表示画面のアクセス権限が変更された場合には、所定の表示画面に表示される設定項目のアクセス権限の設定の変更を設定変更部１６が行わない構成を一例に説明したが、アクセス権限の設定を変更してもよい。
【０１２３】
上記実施形態では、表示部としてタッチパネル１０を一例に説明したが、表示部は単にディスプレイであってもよい。この場合には、マウスやキーボード等の操作入力部により第１設定領域Ａ１及び第２設定領域Ａ２での設定が行われればよい。
【０１２４】
上記実施形態では、アクセス者のアクセスレベルとして、「ＯＰＥＲＡＴＯＲ」、「ＭＡＩＮＴＥＮＡＮＣＥ」、「ＡＤＭＩＮＩＳＴＲＡＴＯＲ」及び「ＭＡＮＵＦＡＣＴＵＲＥＲ」を一例に説明したが、アクセスレベルの数や種類はこれに限定されず、更に下位及び上位のアクセスレベルを設定してもよい。また、他の種類のアクセスレベルを設定してもよい。
【０１２５】
上記実施形態では、第１設定領域Ａ１において設定されるアクセス権限として、「表示」及び「非表示」を一例に説明したが、アクセス権限の数や種類はこれに限定されず、その他の項目が設定されていてもよい。
【０１２６】
上記実施形態では、第２設定領域Ａ２において設定されるアクセス権限として、「非表示」、「読み取り専用」及び「設定変更可」を一例に説明したが、アクセス権限の数や種類はこれに限定されず、その他の項目が設定されていてもよい。
【０１２７】
上記実施形態では、第１設定領域Ａ１及び第２設定領域Ａ２において、初期設定から変更された場合には表示の色を変更させているが、色の変更は行わなくてもよい。また、変更を通知する方法としては、他の方法であってもよい。
【符号の説明】
【０１２８】
１，１Ａ…繊維機械、５…設定管理装置、１２…表示制御部、１４…記憶部、１６…設定変更部、２０…入出力部、２２…外部記憶媒体、３０…ホストコンピュータ（統括制御装置）、Ｄ…アクセス権限設定画面（表示画面）、Ｄ２…表示画面、Ｄ３…監視画面（表示画面）、Ａ１…第１設定領域、Ａ２…第２設定領域。
【図１】
2015086057.tif 000003
【図２】
2015086057.tif 000004
【図３】
2015086057.tif 000005
【図４】
2015086057.tif 000006
【図５】
2015086057.tif 000007
【図６】
2015086057.tif 000008
【図８】
2015086057.tif 000009
【図９】
2015086057.tif 000010
【図１０】
2015086057.tif 000011
【図１１】
2015086057.tif 000012
【図１２】
2015086057.tif 000013
【図１３】
2015086057.tif 000014
【図１４】
2015086057.tif 000015
【図１５】
2015086057.tif 000016
【図１６】
2015086057.tif 000017
【図１７】
2015086057.tif 000018
【図１８】
2015086057.tif 000019
【図１９】
2015086057.tif 000020
【図２０】
2015086057.tif 000021
【図２１】
2015086057.tif 000022
【図２２】
2015086057.tif 000023
【図２３】
2015086057.tif 000024
【図２４】
2015086057.tif 000025
【図２５】
2015086057.tif 000026
【図２６】
2015086057.tif 000027
【図２７】
2015086057.tif 000028
【図２８】
2015086057.tif 000029
【図２９】
2015086057.tif 000030
【図３０】
2015086057.tif 000031
【図７】
2015086057.tif 000032